【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
移動通信ネットワークによってサービスを受ける少なくとも１つのモバイル・デバイス（１０）に関して前記移動通信ネットワークにおいてモバイル・デバイス能力管理デバイス（１４）を作動させる方法であり、モバイル・デバイス能力は、前記モバイル・デバイス能力管理デバイス内の第１のモバイル・デバイス・プロファイルとして、及び、前記モバイル・デバイス内の第２のモバイル・デバイス・プロファイルとして表される方法であって、
−  モバイル・デバイス能力の変更に関するモバイル・デバイス能力変更情報を受信するステップ（Ｓ１６）と、
−  前記モバイル・デバイス能力管理ポリシと、前記受信されたモバイル・デバイス能力変更情報とに基づいて前記第１のモバイル・デバイス・プロファイルを更新する必要性を評価するステップ（Ｓ１８）と、
を備えることを特徴とする方法。
【請求項２】
前記モバイル・デバイス能力管理ポリシと、前記モバイル・デバイス能力変更情報とに従って前記第１のモバイル・デバイス・プロファイルを更新するステップ（Ｓ３６）を備えることを特徴とする請求項１に記載の方法。
【請求項３】
前記第１のモバイル・デバイス・プロファイルを更新する前記ステップは、モバイル・デバイス能力の変更に関する前記第２のモバイル・デバイス・プロファイルの評価のために、前記モバイル・デバイス能力管理デバイスと前記モバイル・デバイスとの間でモバイル・デバイス管理セッションを確立するステップ（Ｓ３２）と、
評価結果に従って前記モバイル・デバイス能力更新情報を前記モバイル・デバイスから受信するステップ（Ｓ３４）と、を備えることを特徴とする請求項２に記載の方法。
【請求項４】
前記第１のモバイル・デバイス・プロファイルと前記第２のモバイル・デバイス・プロファイルとの少なくともいずれかは、モバイル・デバイス管理オブジェクトを含むモバイル・デバイス管理ツリー構造として表されることを特徴とする請求項１から請求項３のいずれか１項に記載の方法。
【請求項５】
前記モバイル・デバイス能力管理デバイス内の前記第１のモバイル・デバイス・プロファイルを更新する前記ステップは、モバイル・デバイス能力変更オブジェクト（ＣＨＯＢ）を更新するステップを備える方法であって、前記モバイル・デバイス能力変更オブジェクトは、モバイル・デバイス能力の変更管理専用の前記モバイル・デバイス管理ツリー構造内のモバイル・デバイス管理オブジェクトであることを特徴とする請求項４に記載の方法。
【請求項６】
前記モバイル・デバイス能力変更情報（ＣＨＡＮ）は、前記第２のモバイル・デバイス・プロファイルに対する変更の重大さを示す定性パラメータと、前記第２のモバイル・デバイス・プロファイルに対する実際の変化量を示す定量パラメータとを含むことを特徴とする請求項１から請求項５のいずれか１項に記載の方法。
【請求項７】
前記第２のモバイル・デバイス・プロファイルを更新する必要性を評価する前記ステップ（Ｓ１８）は、前記定量パラメータと前記定性パラメータとの少なくともいずれかの分類を通じて達成されることを特徴とする請求項６に記載の方法。
【請求項８】
少なくとも１つのサービスを前記モバイル・デバイスへ提供するサービス・プロバイダと、前記モバイル・デバイスとやりとりするアプリケーションと、の少なくともいずれかへ、モバイル・デバイス能力の変更を通知するステップ（Ｓ３８）を備えることを特徴とする請求項１から請求項７のいずれか１項に記載の方法。
【請求項９】
前記モバイル・デバイス能力管理デバイス（１４）側でモバイル・デバイス能力変更情報が前記モバイル・デバイスから直接受信されることを特徴とする請求項１から請求項８のいずれか１項に記載の方法。
【請求項１０】
モバイル・デバイス能力変更情報がモバイル・デバイス能力モニタ用デバイスから受信されることを特徴とする請求項１から請求項８のいずれか１項に記載の方法。
【請求項１１】
前記モバイル・デバイス能力変更情報は、回線交換による移動通信と、パケット交換による移動通信と、サービスレイヤのデータ交換との少なくともいずれかを通じて交換されることを特徴とする請求項１から請求項８のいずれか１項に記載の方法。
【請求項１２】
移動通信ネットワークを経由してモバイル・デバイス能力の管理のために作動可能にされるモバイル・デバイス（１０）を作動させる方法であり、モバイル・デバイス能力の状態がモバイル・デバイス・プロファイルとして前記モバイル・デバイスにおいて表される方法であって、
−  前記モバイル・デバイス能力の変更をモニタするステップ（Ｓ１０）と、
−  モバイル・デバイス能力の変更に関するモバイル・デバイス能力変更情報を生成するステップ（Ｓ１２）と、
−  前記モバイル・デバイス能力変更情報を前記移動通信ネットワークへ転送するステップ（Ｓ１４）と、
を備え、
前記モバイル・デバイス能力変更情報は、前記モバイル・デバイス・プロファイルに対する変更の重大さを示す定性パラメータと、前記モバイル・デバイス・プロファイルに対する実際の変化量を示す定量パラメータとを含むことを特徴とする方法。
【請求項１３】
−  詳細なモバイル・デバイス能力変更情報を求める要求を前記移動通信ネットワークから受信するステップ（Ｓ２２）と、
−  前記移動通信ネットワークとモバイル・デバイス管理セッションを確立するステップ（Ｓ２４）と、
−  前記詳細なモバイル・デバイス能力変更情報を前記移動通信ネットワークへ転送するステップ（Ｓ２６）と、
を備えることを特徴とする請求項１２に記載の方法。
【請求項１４】
少なくとも１つのモバイル・デバイス管理オブジェクトを含むモバイル・デバイス管理ツリー構造として前記モバイル・デバイス・プロファイルを表わすステップを備えることを特徴とする請求項１２または請求項１３に記載の方法。
【請求項１５】
モバイル・デバイス能力変更オブジェクト（ＣＨＯＢ）内の前記モバイル・デバイス管理ツリーとして前記モバイル・デバイス能力変更情報を表わすステップを備え、前記モバイル・デバイス能力変更オブジェクト（ＣＨＯＢ）は、モバイル・デバイス能力の変更管理専用の前記モバイル・デバイス管理ツリー構造内のモバイル・デバイス管理オブジェクトであることを特徴とする請求項１４に記載の方法。
【請求項１６】
前記モバイル・デバイス能力変更情報は、前記移動通信ネットワーク内のモバイル・デバイス能力管理デバイス（１４）へ転送されることを特徴とする請求項１２から請求項１５のいずれか１項に記載の方法。
【請求項１７】
前記モバイル・デバイス能力変更情報は、前記移動通信ネットワーク内のモバイル・デバイス能力モニタ用デバイスへ転送され、その後、前記移動通信ネットワーク内のモバイル・デバイス能力管理デバイス（１４）へ前記情報を伝えるようにすることを特徴とする請求項１２から請求項１５のいずれか１項に記載の方法。
【請求項１８】
前記モバイル・デバイス能力変更情報は、回線交換による移動通信と、パケット交換による移動通信と、サービスレイヤのデータ交換との少なくともいずれかを通じて前記移動通信ネットワークと交換されることを特徴とする請求項１２から請求項１７のいずれか１項に記載の方法。
【請求項１９】
移動通信ネットワークによってサービスを受ける少なくとも１つのモバイル・デバイス（１０）に関して移動通信ネットワークにおいて作動されるモバイル・デバイス能力管理デバイス（１４）であり、モバイル・デバイス能力は、前記モバイル・デバイス能力管理デバイス内の第１のモバイル・デバイス・プロファイルとして、並びに、前記モバイル・デバイス内の第２のモバイル・デバイス・プロファイルとして表されるモバイル・デバイス能力管理デバイス（１４）であって、
−  モバイル・デバイス能力の変更に関するモバイル・デバイス能力変更情報を受信するように適合された通信ユニット（２６）と、
−  前記モバイル・デバイス能力管理ポリシと、前記受信されたモバイル・デバイス能力変更情報とに基づいて前記第１のモバイル・デバイス・プロファイルを更新する必要性を評価するように適合された評価ユニット（２８）と、
を備えることを特徴とするモバイル・デバイス能力管理デバイス。
【請求項２０】
前記モバイル・デバイス能力管理ポリシと、受信された前記モバイル・デバイス能力変更情報とに従って前記第１のモバイル・デバイス・プロファイルを更新するように適合されたモバイル・デバイス・プロファイル更新ユニット（３０）を備えることを特徴とする請求項１９に記載のモバイル・デバイス能力管理デバイス。
【請求項２１】
前記モバイル・デバイス・プロファイル更新ユニット（３０）は、
−  モバイル・デバイス能力の変更に関する前記第２のモバイル・デバイス・プロファイルの評価のために前記モバイル・デバイス能力管理デバイスと前記モバイル・デバイスとの間でモバイル・デバイス管理セッションを開始するように適合されたセッション開始ユニット（３２）と、
−  評価結果に従って前記モバイル・デバイス能力変更情報を前記モバイル・デバイスから処理するように適合された能力変更情報処理ユニット（３４）と、
を備えることを特徴とする請求項２０に記載のモバイル・デバイス能力管理デバイス。
【請求項２２】
モバイル・デバイス管理オブジェクトを含むモバイル・デバイス管理ツリー構造に従って、前記第１のモバイル・デバイス・プロファイルと前記第２のモバイル・デバイス・プロファイルとの少なくともいずれかを格納するように適合されたモバイル・デバイス・プロファイル・メモリ（３６）を備えることを特徴とする請求項１９から請求項２１のいずれか１項に記載のモバイル・デバイス能力管理デバイス。
【請求項２３】
前記能力変更情報処理ユニット（３４）は、モバイル・デバイス能力変更オブジェクトを更新することによって、前記モバイル・デバイス・プロファイル・メモリ内の前記第１のモバイル・デバイス・プロファイルを更新するように適合され、前記モバイル・デバイス能力変更オブジェクト（ＣＨＯＢ）は、モバイル・デバイス能力の変更管理専用の前記モバイル・デバイス管理ツリー構造内のモバイル・デバイス管理オブジェクトであることを特徴とする請求項２２に記載のモバイル・デバイス能力管理デバイス。
【請求項２４】
前記評価ユニット（２８）は、前記第２のモバイル・デバイス・プロファイルに対する変更の重大さを示す定性パラメータと、前記第２のモバイル・デバイス・プロファイルに対する実際の変化量を示す定量パラメータとを含むモバイル・デバイス能力変更情報を処理するように適合されることを特徴とする請求項１９から請求項２３のいずれか１項に記載のモバイル・デバイス能力管理デバイス。
【請求項２５】
前記評価ユニット（２８）は、前記定量パラメータと前記定性パラメータとの少なくともいずれかの分類を通じて、前記第２のモバイル・デバイス・プロファイルを更新する必要性を評価するように適合されることを特徴とする請求項２４に記載のモバイル・デバイス能力管理デバイス。
【請求項２６】
前記モバイル・デバイス・プロファイル更新ユニット（３０）は、少なくとも１つのサービスを前記モバイル・デバイスへ提供するサービス・プロバイダと、前記モバイル・デバイスとやりとりするアプリケーションと、の少なくともいずれかへ、モバイル・デバイス能力の変更を通知するように適合されることを特徴とする請求項１９から請求項２５のいずれか１項に記載のモバイル・デバイス能力管理デバイス。
【請求項２７】
通信ユニット（２６）は、前記モバイル・デバイス能力変更情報を前記モバイル・デバイスから直接受信するように適合されることを特徴とする請求項１９から請求項２６のいずれか１項に記載のモバイル・デバイス能力管理デバイス。
【請求項２８】
通信ユニット（２６）は、前記モバイル・デバイス能力変更情報をモバイル・デバイス能力モニタ用デバイスから受信するように適合されることを特徴とする請求項１９から請求項２６のいずれか１項に記載のモバイル・デバイス能力管理デバイス。
【請求項２９】
前記通信ユニット（２６）は、回線交換による移動通信と、パケット交換による移動通信と、サービスレイヤのデータ交換との少なくともいずれかを通じて、前記モバイル・デバイス能力変更情報を受信するように適合されることを特徴とする請求項１９から請求項２８のいずれか１項に記載のモバイル・デバイス能力管理デバイス。
【請求項３０】
移動通信ネットワークを経由して、モバイル・デバイス能力の管理のために作動可能にされるモバイル・デバイス（１０）であり、モバイル・デバイス能力の状態がモバイル・デバイス・プロファイルとして前記モバイル・デバイスにおいて表されるモバイル・デバイス（１０）であって、
−  前記モバイル・デバイス能力の変更をモニタするように適合されたモバイル・デバイス・プロファイル・モニタ・ユニット（２０）と、
−  モバイル・デバイス能力の変更に関するモバイル・デバイス能力変更情報を生成するように適合されたプロファイル変更情報生成ユニット（２２）と、
−  前記モバイル・デバイス能力変更情報を前記移動通信ネットワークへ転送するように適合された通信ユニット（２４）と、
を備え、
前記プロファイル変更情報生成ユニット（２２）は、前記モバイル・デバイス・プロファイルに対する変更の重大さを示す定性パラメータと、前記モバイル・デバイス・プロファイルに対する実際の変化量を示す定量パラメータとを含む前記モバイル・デバイス能力変更情報を生成するように適合されることを特徴とするモバイル・デバイス（１０）。
【請求項３１】
前記通信ユニット（２４）は、
−  前記移動通信ネットワークに保持されている遠隔地のモバイル・デバイス・プロファイルの更新を求める要求を受信し、
−  前記移動通信ネットワークとモバイル・デバイス管理セッションを確立し、
−  前記詳細なモバイル・デバイス能力変更情報を前記移動通信ネットワークへ転送する、
ように適合されることを特徴とする請求項３０に記載のモバイル・デバイス。
【請求項３２】
少なくとも１つのモバイル・デバイス管理オブジェクトを備えるモバイル・デバイス管理ツリー構造として前記モバイル・デバイス・プロファイルを格納するように適合されたモバイル・デバイス・プロファイル・メモリ・ユニット（１８）を備えることを特徴とする請求項３０または請求項３１に記載のモバイル・デバイス。
【請求項３３】
前記プロファイル変更情報生成ユニット（２２）は、前記モバイル・デバイス管理ツリー内のモバイル・デバイス能力変更オブジェクトとしてモバイル・デバイス能力変更情報を生成するように適合され、前記モバイル・デバイス能力変更オブジェクトは、モバイル・デバイス能力の変更管理専用の前記モバイル・デバイス管理ツリー構造内のモバイル・デバイス管理オブジェクトであることを特徴とする請求項３２に記載のモバイル・デバイス。
【請求項３４】
前記通信ユニット（２４）は、前記モバイル・デバイス能力変更情報を前記移動通信ネットワーク内のモバイル・デバイス能力管理デバイスへ転送するように適合されることを特徴とする請求項３０から請求項３３のいずれか１項に記載のモバイル・デバイス。
【請求項３５】
前記通信ユニット（２４）は、前記モバイル・デバイス能力変更情報を前記移動通信ネットワーク内のモバイル・デバイス能力モニタ用デバイスへ転送し、その後、前記移動通信ネットワーク内のモバイル・デバイス能力管理デバイス（１４）へ該情報を伝えるように適合されることを特徴とする請求項３０から請求項３３のいずれか１項に記載のモバイル・デバイス。
【請求項３６】
前記通信ユニット（２６）は、回線交換による移動通信と、パケット交換による移動通信と、サービスレイヤのデータ交換との少なくともいずれかを通じて、前記モバイル・デバイス能力変更情報を前記移動通信ネットワークと交換するように適合されることを特徴とする請求項３０から請求項３５のいずれか１項に記載のモバイル・デバイス。
【請求項３７】
移動通信ネットワークにおいて作動されるモバイル・デバイス能力管理デバイス（１４）の内部メモリの中へ直接ロード可能なコンピュータプログラムであって、前記モバイル・デバイス能力管理デバイスのプロセッサで前記コンピュータプログラムが実行されるとき、請求項１から請求項１１のいずれか１項に記載の方法が備える各ステップを前記モバイル・デバイス能力管理デバイスに実行させるためのソフトウェアコード部を備えることを特徴とするコンピュータプログラム。
【請求項３８】
移動通信ネットワークを経由してモバイル・デバイス能力の管理のために作動可能にされるモバイル・デバイス（１０）の内部メモリの中へ直接ロード可能なコンピュータプログラムであって、前記モバイル・デバイスのプロセッサで前記コンピュータプログラムが実行されるとき、請求項１２から請求項１８のいずれか１項に記載の方法が備える各ステップを前記モバイル・デバイスに実行させるためのソフトウェアコード部を備えることを特徴とするコンピュータプログラム。